(57)【要約】【課題】防水構造の簡素化が図れる加湿機を提供する。【解決手段】通気路３１には、水を貯めるトレイ１５と、このトレイ１５に貯まっている水に下部が浸されて水分を含んだ加湿フィルタ１４と、が配されている。トレイ１５は、加湿フィルタ１４の下流側の面１４ｂに接しつつ、貯まっている水の水位を超える高さの側壁１５ｂを有する。【選択図】図４
2008039316.tif 000002
【特許請求の範囲】
【請求項１】
通気路中の送風機の回転に従い、外部の空気を吸い込んで加湿し、加湿した空気を外部へ吹き出す加湿機であって、
前記通気路には、水を貯めるトレイと、このトレイに貯まっている水に下部が浸されて水分を含んだ加湿フィルタと、が配されており、
前記トレイは、前記加湿フィルタの下流側の面に接しつつ、貯まっている水の水位を超える高さの側壁を有することを特徴とする加湿機。
【請求項２】
通気路中の送風機の回転に従い、外部の空気を吸い込んで加湿し、加湿した空気を外部へ吹き出す加湿機であって、
前記通気路には、水を貯めるトレイと、このトレイに貯まっている水に下部が浸されて水分を含んだ加湿フィルタと、が配されており、
前記トレイには、前記加湿フィルタの少なくとも下流域に水が貯まっていて、
前記トレイは、前記加湿フィルタの下流側の面に接しつつ、貯まっている水の水位を超える高さの隔壁を有し、この隔壁には通水孔が形成されていることを特徴とする加湿機。
【請求項３】
前記通気路には、前記加湿フィルタの上流にエアフィルタを備えることを特徴とする請求項１又は２に記載の加湿機。
【発明の詳細な説明】
【技術分野】
【０００１】
本発明は、室内の空気を加湿する加湿機に関する。
【背景技術】
【０００２】
一般に、加湿機は、本体の正面にエアフィルタが取り付けられ、本体の内部には、経路中に送風機を配された通気路が形成されている。通気路は本体正面の開口から本体上部の吹出し口に至り、エアフィルタの下流にあたる送風機の上流に、水分を含んだ加湿フィルタが配される。このような加湿機は、送風機の回転に従い、外部の空気である室内の空気をエアフィルタを通じて通気路内に吸い込み、吸い込んだ空気を加湿フィルタを通じて加湿して外部である室内へ吹出し口より吹き出す。その際、空気中に含まれる有害物質はエアフィルタによって取り除かれ、これにより空気が浄化される。エアフィルタを通じて浄化された空気は、加湿フィルタを通じる際に水分を取り込み、これにより加湿される。こうして、室内の空気が特に異常乾燥しているとき等は、その空気を加湿して快適な状態に調節することができる（例えば、特許文献１参照）。
【特許文献１】実開昭６２−３１２１８号公報
【発明の開示】
【発明が解決しようとする課題】
【０００３】
ところで、従来の加湿機では、加湿フィルタ付近の構成は通常次のようになっている。図７に示すように、通気路１３１にはトレイ１１５が収納され、このトレイ１１５内に一定の水位に水が貯められる。加湿フィルタ１１４は、トレイ１１５の水に下部が浸され、その水を吸い上げて水分を含んだ状態になり、通気路１３１の断面領域のほぼ全域を遮るように配される。なお、加湿フィルタ１１４が通気路１３１の断面領域の一部を遮るように配される場合もある。そして、加湿フィルタ１１４の下部を取り囲むトレイ１１５の側壁のうち、加湿フィルタ１１４の上流側の側壁１１５ａ、下流側の側壁１１５ｂは、それぞれ、加湿フィルタ１１４の上流側の面１１４ａ、下流側の面１１４ｂから離れていて、加湿フィルタ１１４の上流域と下流域に互いに行き来できる水が貯まっている。
【０００４】
このような構成のもとで送風機を駆動すると、空気が加湿フィルタ１１４を通じるわけであるが、その際実際には、加湿フィルタ１１４の下流側の面において、トレイ１１５に貯まっている水の水面との境界に泡Ｂが繰り返し多数発生する。その泡Ｂは、空気の流通とともに、膨張、破裂し、加湿フィルタ１１４の下流域に水滴が著しく飛散してしまう。場合によっては、その水滴が、流通する空気に乗って吹出し口から外部へ飛び出し、吹出し口の周辺を濡らしてしまう。そうすると、十分な防水構造が必要であり、そのためにコスト低減を制約されていた。
【０００５】
そこで本発明は、上記の問題に鑑みてなされたものであり、防水構造の簡素化が図れる加湿機を提供することを目的とするものである。
【課題を解決するための手段】
【０００６】
上記目的を達成するため、本発明による加湿機は、通気路中の送風機の回転に従い、外部の空気を吸い込んで加湿し、加湿した空気を外部へ吹き出す加湿機であって、前記通気路には、水を貯めるトレイと、このトレイに貯まっている水に下部が浸されて水分を含んだ加湿フィルタと、が配されている。前記トレイは、前記加湿フィルタの下流側の面に接しつつ、貯まっている水の水位を超える高さの側壁を有する。
【０００７】
また、上記目的を達成するための本発明による加湿機は、通気路中の送風機の回転に従い、外部の空気を吸い込んで加湿し、加湿した空気を外部へ吹き出す加湿機であって、前記通気路には、水を貯めるトレイと、このトレイに貯まっている水に下部が浸されて水分を含んだ加湿フィルタと、が配されている。前記トレイには、前記加湿フィルタの少なくとも下流域に水が貯まっていて、前記トレイは、前記加湿フィルタの下流側の面に接しつつ、貯まっている水の水位を超える高さの隔壁を有し、この隔壁には通水孔が形成されている。
【０００８】
このような構成にすれば、加湿フィルタの下流側の面において、トレイに貯まっている水の水面との境界に側壁又は隔壁が存在するため、従来のような泡の発生が抑えられ、その結果として、加湿フィルタ下流域への水滴の飛散や、吹出し口周辺の水濡れを未然に防止することができる。
【発明の効果】
【０００９】
本発明の加湿機によれば、加湿フィルタ下流域への水滴の飛散や、吹出し口周辺の水濡れを未然に防止することができるため、防水構造の簡素化が可能になる。
【発明を実施するための最良の形態】
【００１０】
以下に、本発明の加湿機の実施形態について図面を参照しながら詳述する。ここでの加湿機は、選択によって空気清浄機としても成り立つ加湿機であり、更にイオン放出機能も併せ持つものを例に挙げて説明する。先ず、本発明の第１実施形態の加湿機について説明する。図１は本発明の各実施形態に共通する加湿機の外観を示す正面視での斜視図である。図２、図３はその加湿機の内部構造を示す側面視での断面図であって、図２は可動板が第２の通気路を閉ざした状態を示し、図３は可動板が第２の通気路を開いた状態を示している。図４は第１実施形態の加湿機での加湿フィルタ周辺を簡略化して示す側面視での断面図である。
【００１１】
加湿機１は、運転時には室内の適所で床上に置かれたり壁に掛けられたりするものであり、大きくは、本体２と、前パネル３とより外殻が構成される。本体２は、全体として概ね扁平な箱を垂直に立てたような外形であって、その正面には、直方体状に大きく凹んだエアフィルタ収納部が形成されている。このエアフィルタ収納部には、その正面側の開口より順に、エアフィルタとして脱臭フィルタ４と集塵フィルタ５が重ね合わされた状態で収納される。
【００１２】
脱臭フィルタ４は、長方形の枠にポリエステル製の不織布を取り付け、その上に活性炭を均一に分散配置し、その上から更にポリエステル製の不織布をかぶせたものである。脱臭フィルタ４は空気中の臭い成分であるアセトアルデヒドやアンモニアや酢酸等を吸着する役割を担う。一方、集塵フィルタ５は、いわゆるＨＥＰＡ（High Efficiency Particulate Air）フィルタであって、ポリエステル／ビニロン系不織布からなる骨材に電石加工したメルトブロー不織布を合わせて濾材とし、これを折り畳んだ上、その上下面にハイドロキシアパタイト加工した不織布からなる抗菌シートを重ねて熱圧着し、ホットメルト付き不織布からなる枠を溶着したものである。集塵フィルタ５は微細な塵埃を捕集する役割を担う。
【００１３】
エアフィルタ収納部に収納された脱臭フィルタ４と集塵フィルタ５は、エアフィルタ収納部の開口に装着されたフィルタ押さえ枠６によって、エアフィルタ収納部からの脱落が防止される。フィルタ押さえ枠６は、概ね矩形の形状をしており、マトリクス状に多数の通気口が形成されている。
【００１４】
脱臭フィルタ４と集塵フィルタ５が収納されてフィルタ押さえ枠６が装着された本体２の正面に対し、前パネル３が、所定の隙間をあけて取り付けられ、脱臭フィルタ４と集塵フィルタ５を含めてフィルタ押さえ枠６を完全に覆い隠す。ここでの前パネル３は、本体２へ向けて折れ曲がった上部からのフック（不図示）を本体２の上部に引掛けられて支持されるとともに、左右両側の下部を係止部７によって固定される。前パネル３の裏面と本体２の正面との隙間は、その左右と下が外部に開放しており、ここから外部の空気が導入される。
【００１５】
本体２には、エアフィルタ収納部の奥に、隔壁２１を挟んで、送風機８が配置される。ここでの送風機８は、ファンモータ９とファン１０から成り、その正面側をその隔壁２１によって隔離され、その下側を隔壁２２によって隔離され、その背面側を隔壁２３によって隔離されている。このうち正面側の隔壁２１にファンモータ９が固定され、背面側の隔壁２３には、送風機８に通じる多数の通気孔が形成されている。ファン１０としては、ターボファンを採用しているが、ファンの種類はこれに限定されない。プロペラファンを採用することも、クロスフローファンを採用することも可能である。ターボファンの場合、ファン径に比較して厚さを大きくとり、騒音レベルを下げる工夫がなされている。ファンモータ９としては、制御の容易性を重視して直流モータを採用することが好ましい。
【００１６】
また、本体２には、送風機８の上方に相当する上部に、上向きに開口する第１の吹出し口１１と、前方上向きに開口する第２の吹出し口１２と、が形成され、電源のオン／オフや運転設定を行うための操作ボタン、及び運転状態を表示する表示ランプ等より成る操作・表示部１３が設けられている。
【００１７】
送風機８の駆動すなわちファンモータ９によるファン１０の回転に従い、前パネル３と本体２との隙間から外部の空気である室内の空気が導入される。導入された空気は、フィルタ押さえ枠６の通気口を通じてエアフィルタに達し、脱臭フィルタ４及び集塵フィルタ５によって臭いや塵埃のない空気に浄化される。浄化された空気は、エアフィルタ収納部の奥の隔壁２１の下部に形成された開口２４を経て本体２の背面壁２５に達し、隔壁２３と背面壁２５との間を上昇した後、隔壁２３の通気孔からファン１０の中心に吸い込まれる。ファン１０の中心に吸い込まれた空気は、ファンブレード同士の間を通りファン１０の外周から吐出され、上方に導かれて第１の吹出し口１１、第２の吹出し口１２より外部である室内へ吹き出される。このような空気の流れが通気路に対応する。
【００１８】
ここでは、エアフィルタ収納部の奥の隔壁２１に形成された開口２４から隔壁２２に沿って奥に延びる通気路が、仕切り壁２７によって上下に仕切られ、下から順に第１の通気路３１、第２の通気路３２となっている。つまり、エアフィルタから送風機８までの通気路が、第１の通気路３１と第２の通気路３２に一旦分岐した後互いに合流している。
【００１９】
第１の通気路３１には、その断面領域のほぼ全域を遮るように加湿フィルタ１４が配されている。具体的には、本体２の下部には、一方の側部から着脱可能なトレイ１５が収納され、このトレイ１５内に一定の水位に水が貯められる。加湿フィルタ１４は、ジグザグに折り畳まれた吸水材から成り、トレイ１５内に差し込まれて下部が水に浸され、その水を吸い上げて水分を含んだ状態になる。トレイ１５には、水を貯留した給水タンク１６が連結され、その給水タンク１６から水が適時供給される。給水タンク１６は、トレイ１５の着脱がなされる側の本体２の側部に着脱可能に収納されている。
【００２０】
ここで、本第１実施形態では、図４に示すように、加湿フィルタ１４の下部を取り囲むトレイ１５の側壁のうち、加湿フィルタ１４の上流側の側壁１５ａは、加湿フィルタ１４の上流側の面１４ａから離れていて、加湿フィルタ１４の上流域に水が貯まっている。一方、加湿フィルタ１４の下流側の側壁１５ｂは、加湿フィルタ１４の下流側の面１４ｂに接している。従って、加湿フィルタ１４の下流域には水が貯まっていない。ここでの加湿フィルタ１４の下流側の側壁１５ｂは、トレイ１５に貯まっている水の水位を超える高さである。但し、あまり高くし過ぎると、加湿フィルタ１４について空気の通過を許容する有効面積が減るため、水が溢れない程度の程程の高さでよい。
【００２１】
一方、第２の通気路３２には、この第２の通気路３２を開閉する可動板３５が設けられている。ここでの可動板３５は、第２の通気路３２のやや上方に配置された左右方向に沿った支軸３６に支持され、その支軸３６を中心として円弧状に湾曲した湾曲板であって、支軸３６を支点に回動するようになっている。可動板３５の回動の駆動は、ステッピングモータ等のデジタル制御モータによってなされる。従って、可動板３５の回動位置は常時認識される。
【００２２】
可動板３５は回動の限界位置が規定されており、図２に示すように、可動板３５の奥側の縁から外方に突出する突起３７が仕切り壁２７の奥側の端面に当接することで、可動板３５の最も手前に回動した姿勢が規定され、この姿勢のとき、可動板３５が第２の通気路３２を閉ざす。この状態で、送風機８が駆動されると、エアフィルタを通じて浄化された空気は、第２の通気路３２が可動板３５によって閉ざされているため、第１の通気路３１に流入し、加湿フィルタ１４に至る。その空気は、加湿フィルタ１４を通じる際に加湿フィルタ１４から水分を取り込んで加湿され、その後、隔壁２３と背面壁２５との間を上昇し、最終的に第１の吹出し口１１、第２の吹出し口１２より外部へ吹き出される。そうすると、このときには、空気の浄化は勿論のこと、効率よく加湿も行われる。
【００２３】
特にその際、本実施形態では、加湿フィルタ１４の下流側の面１４ｂにおいて、トレイ１５に貯まっている水の水面との境界に側壁１５ｂが存在するため、従来のような泡の発生が抑えられる。その結果として、加湿フィルタ１４下流域への水滴の飛散や、第１の吹出し口１１周辺、第２の吹出し口１２周辺それぞれの水濡れを未然に防止することができる。これにより、防水構造の簡素化が図れ、その結果コスト低減が期待できる。しかも、電気的な観点から安全であるし、日常の取扱いの面からは余計な拭き掃除が必要ない点で有効である。
【００２４】
これとは逆に、図３に示すように、可動板３５の突起３７が背面壁２５から突出する突片２６に当接することで、可動板３５の最も奥に回動した姿勢が規定され、この姿勢のとき、可動板３５が第２の通気路３２を開くとともに第１の通気路３１からの合流口を閉ざす。この状態で、送風機８が駆動されると、エアフィルタを通じて浄化された空気は、第１の通気路３１の合流口が可動板３５によって閉ざされているため、第１の通気路３１には結局は流入せず、他方第２の通気路３２が開かれているため、第２の通気路３２に流入する。その空気は、可動板３５に沿って案内され、その後、隔壁２３と背面壁２５との間を上昇し、最終的に第１の吹出し口１１、第２の吹出し口１２より外部へ吹き出される。そうすると、このときには、加湿はほとんど行われず、空気の浄化が主体的に行われる。
【００２５】
従って、本実施形態の加湿機１においては、第２の通気路３２に対し必要に応じて可動板３５を開閉させれば、加湿の効率を調整することができ、その結果として、空気の浄化と加湿を効率よく有効に行える。
【００２６】
なお、本実施形態では、第２の吹出し口１２と送風機８の間に、正負のイオンを同時に又は一方を個別に発生するイオン発生器１７が配設されている。イオン発生器１７が駆動されると、ファン１０から主として第２の吹出し口１２へ向かう空気に、イオン発生器１７からイオンが放出され、浄化された空気、更には加湿された空気が、イオンを含んで主に第２の吹出し口１２より室内に吹き出される。
【００２７】
続いて、図５に、加湿機１の動作にまつわる主要構成をブロック図で示す。加湿機１の全体の動作は制御部４０によって制御される。制御部４０には、温度センサ４１、湿度センサ４２、埃センサ４３、臭いセンサ４４といったセンサ類が接続されている。温度センサ４１は室内の空気の温度を検出する。湿度センサ４２は室内の空気の湿度を検出する。一般には、温度センサ４１と湿度センサ４２は一体化されたセンサである。埃センサ４３は発光素子と受光素子より成り、室内の空気中に浮遊する塵埃等の粒子を検出する。臭いセンサ４４は金属酸化物半導体から成るセンサ表面にガスが吸着すると抵抗値が変化することを利用した半導体ガスセンサであって、室内の空気中の臭い成分を検出する。つまり、埃センサ４３と臭いセンサ４４は、空気の汚れ度合いを検出する汚れ検出器として機能する。温度センサ４１、湿度センサ４２、埃センサ４３、臭いセンサ４４による検出値は、制御部４０に出力される。
【００２８】
また、制御部４０には、トレイ水位検知スイッチ４５、エアフィルタ取外し検知スイッチ４６、トレイ・給水タンク取外し検知スイッチ４７といった検知スイッチ類が接続されている。トレイ水位検知スイッチ４５は、トレイ１５内に貯められた水が正常な水位より下がって水不足の水位に達したことを検知する。トレイ１５内の水が水不足の水位に達したということは、給水タンク１６が空になって水の補給が必要になったことを想定した状況である。エアフィルタ取外し検知スイッチ４６は、前パネル３が取り外され、更にはフィルタ押さえ枠６、脱臭フィルタ４及び集塵フィルタ５が取り外されたことを検知する。トレイ・給水タンク取外し検知スイッチ４７は、更にトレイ１５と給水タンク１６が取り外されたことを検知する。
【００２９】
また、制御部４０には、操作・表示部１３を構成する各種の操作ボタン４８及び各種の表示ランプ４９が接続されている。操作ボタン４８としては、電源をオン／オフするための電源ボタンや、空気浄化機能の運転設定を行うための空気浄化設定ボタンや、加湿機能の運転設定を行うための加湿設定ボタンや、イオンの放出をオン／オフするためのイオン放出ボタン等が含まれる。それらのうち空気浄化設定ボタンが押される度に、風量自動、風量弱、風量強といったように空気浄化の運転モードが切り替わる。加湿設定ボタンが押される度に、加湿自動、加湿弱、加湿強、加湿切といったように加湿の運転モードが切り替わる。使用者の操作に従った操作ボタン４８からの入力は、制御部４０に出力される。
【００３０】
表示ランプ４９としては、電源ボタンの操作に従った電源のオン／オフを点灯／消灯で表す電源表示ランプや、空気浄化設定ボタンの操作に従った空気浄化の運転モードを点灯で表す空気浄化運転モード表示ランプや、加湿設定ボタンの操作に従った加湿の運転モードを点灯で表す加湿運転モード表示ランプや、イオン放出ボタンの操作に従ったイオン放出のオン／オフを点灯／消灯で表すイオン放出表示ランプや、現在の湿度をレベル表示する湿度表示ランプや、給水タンク１６への水の補給を点灯で促す給水表示ランプ等が含まれる。表示ランプ４９は、制御部４０からの指令に従って点灯／消灯する。それらのうち湿度表示ランプの表示は、湿度センサ４２からの検出値に基づく。給水表示ランプの表示は、トレイ水位検知スイッチ４５からの検知出力に応じてなされる。
【００３１】
また、制御部４０には、可動板３５を回動させるデジタル制御モータの回転駆動（可動板３５の開閉動作）を制御する可動板モータ駆動回路５０、送風機８のファンモータ９の回転駆動（送風機８の回転動作）を制御するファンモータ駆動回路５１、及び、イオン発生器１７の駆動を制御するイオン発生器駆動回路５２が接続されている。それらの可動板モータ駆動回路５０、ファンモータ駆動回路５１、イオン発生器駆動回路５２には、操作ボタン４８からの入力操作や、各種センサ類からの検出値や、各種検知スイッチからの検知出力に基づいて制御部４０から指令が送られ、可動板３５、送風機８、イオン発生器１７が駆動する。
【００３２】
ここでの制御部４０による可動板３５、送風機８、イオン発生器１７それぞれの駆動の態様に関する一例を以下に列記する。
【００３３】
制御部４０は、埃センサ４３、臭いセンサ４４の少なくとも一方からの検出値に基づいて、送風機８すなわちファンモータ９の回転数を調整する。具体的には、加湿切モードの状態であって風量自動モードで空気浄化の運転がなされているとき、埃センサ４３や臭いセンサ４４からの検出値に応じてファンモータ９の回転数を段階的に切り替える。例えば、検出値から空気が汚れていると判断されれば、高い回転数でファンモータ９を回転させて大風量で空気を流動させ、積極的に空気浄化機能を発揮させる。検出値から空気がきれいになったと判断されれば、騒音や消費電力を抑える観点から、ファンモータ９を低い回転数での回転に切り替えて小風量で空気を流動させ、空気浄化機能を低度で維持する。再び空気が汚れたと判断されれば、ファンモータ９を高い回転数での回転に切り替える。これが繰り返される。これにより、室内の空気をきれいに浄化することが可能になる。なおその際、可動板３５は第２の通気路３２を開く姿勢にされている。
【００３４】
制御部４０は、湿度センサ４２からの検出値に基づいて、第２の通気路３２に対し可動板３５を開閉する。具体的には、加湿自動モードで加湿の運転がなされているとき、例えば目標湿度が６０％に設定されている場合、湿度センサ４２からの検出値が、湿度６０％以上であれば、第２の通気路３２が開かれるように可動板３５を回動させて加湿効率を下げ、湿度６０％未満であれば、第２の通気路３２が閉ざされるように可動板３５を回動させて加湿効率を上げる。これにより、室内の空気を設定の目標湿度に調整することが可能になる。
【００３５】
更に、送風機８すなわちファンモータ９の回転数の調節も併せて行うようにしても構わない。つまり、湿度センサ４２からの検出値が、設定の目標湿度以上であれば、第２の通気路３２が開かれるように可動板３５を回動させるとともに、ファンモータ９の回転数を低くして加湿効率を下げ、目標湿度未満であれば、第２の通気路３２が閉ざされるように可動板３５を回動させるとともに、ファンモータ９の回転数を高くして加湿効率を上げる。これにより、室内の空気を設定の目標湿度により一層調整することが可能になる。
【００３６】
このような場合において、湿度センサ４２からの検出値が設定の目標湿度未満から以上に移った状況では、第２の通気路３２が閉ざされた状態から開かれた状態になるように可動板３５が回動して切り替えられるとともに、ファンモータ９の回転数が高い状態から低い状態に切り替えられるわけであるが、その切替えの順番は、ファンモータ９を切り替えた後に、可動板３５を切り替えるようにした方がよい。可動板３５を先に切り替えると、開き始めた第２の通気路３２に大風量の空気が流入するため、不快な笛吹き音が発生してしまうからである。
【００３７】
加湿自動モードとしては、上記した運転手法の他に、可動板３５が第２の通気路３２を閉ざした状態のまま、常に第１の通気路３１に空気を流入させ、湿度センサ４２からの検出値に基づいて、ファンモータ９の回転数すなわち風量を調節することで加湿効率を調整する手法もある。
【００３８】
なお、加湿自動モードでの運転中、所定時間が経過しても設定の目標湿度に達しない状況のときには、ファンモータ９の回転数を１段階高めるように補正してもよい。このような状況は、加湿機１が仕様の畳数を超えた室内で使用されている可能性が高く、仕様の畳数に設定された回転数では加湿能力が不足していると考えられるからである。
【００３９】
制御部４０は、操作ボタン４８から第２の通気路３２に対する可動板３５の開閉切替えの入力操作を受けたとき、可動板３５の開閉を切り替えるとともに、送風機８すなわちファンモータ９の回転数を可動板３５の開閉切替え前後での風量が略等しくなるように切り替える。具体的には、例えば、加湿切モードの状態であって空気浄化の運転がなされている状態から、加湿の運転に切り替わったとき、可動板３５が回動して第２の通気路３２が開かれた状態から閉ざされた状態になり、これに伴って空気の流入が第２の通気路３２から第１の通気路３１へ切り替わるわけであるが、切替え前である第２の通気路３２には空気の流通抵抗となるものが何ら存在しない一方で、切替え後である第１の通気路３１には流通抵抗にもなる加湿フィルタ１４が存在する。従って、切替え前後のファンモータ９の回転数が同じであれば、切替え前後で風量が実質的に異なってしまう。そこで、切替えの際は、第２の通気路３２が開かれた空気浄化運転のときよりも第２の通気路３２が閉ざされた加湿運転のときの方でファンモータ９の回転数が高くなるようにする。このようにすれば、切替え前後で風量がほぼ等しくなり、その結果、空気浄化能力も変わらない。なお、第２の通気路３２が開かれた状態の空気浄化運転、第２の通気路３２が閉ざされた状態の加湿運転ごとに、ファンモータ９の回転数と風量の相関を予備試験で得ておき、その中から、設定されるファンモータ９の回転数が選定される。
【００４０】
但し、空気浄化の運転から加湿強モードの加湿の運転に切り替わったときは、そもそも使用者が強力な加湿を意図していることから、その場合は、切替え前後での風量を意識せずに、ファンモータ９を大風量をもたらす高い回転数にする。
【００４１】
制御部４０は、操作ボタン４８から第２の通気路３２に対する可動板３５の開閉切替えの入力操作を受けたとき、可動板３５の開閉を切り替えるとともに、送風機８すなわちファンモータ９の回転数を可動板３５の開閉切替え前後での騒音値が略等しくなるように切り替える。具体的には、例えば、加湿切モードの状態であって空気浄化の運転がなされている状態から、加湿の運転に切り替わったとき、可動板３５が回動して第２の通気路３２が開かれた状態から閉ざされた状態になり、これに伴って空気の流入が第２の通気路３２から第１の通気路３１へ切り替わるわけであるが、切替え前である第２の通気路３２には空気の流通抵抗となるものが何ら存在しない一方で、切替え後である第１の通気路３１には流通抵抗にもなる加湿フィルタ１４が存在する。従って、切替え前後のファンモータ９の回転数が同じであれば、切替え前後で騒音値が実質的に異なってしまう。そこで、切替えの際は、第２の通気路３２が開かれた空気浄化運転のときよりも第２の通気路３２が閉ざされた加湿運転のときの方でファンモータ９の回転数がわずかに高くなるように、場合によっては同じする。このようにすれば、切替え前後で騒音値がほぼ等しくなり、その結果、使用者に違和感を与えない。なお、第２の通気路３２が開かれた状態の空気浄化運転、第２の通気路３２が閉ざされた状態の加湿運転ごとに、ファンモータ９の回転数と騒音値の相関を予備試験で得ておき、その中から、設定されるファンモータ９の回転数が選定される。
【００４２】
但し、空気浄化の運転から加湿強の加湿の運転に切り替わったときは、そもそも使用者が強力な加湿を意図していることから、その場合は、切替え前後での騒音を意識せずに、ファンモータ９を大風量をもたらす高い回転数にする。
【００４３】
制御部４０は、所定時間実行後に運転停止もしくは自動的に他の運転モードに移行する運転モード（例えば、イオン発生器１７を駆動させる運転モード）の実行中に、トレイ水位検知スイッチ４５から検知出力を受けたとき、その所定時間が経過するまで水の補給を表示させず、その後、表示ランプ４９のうちの給水表示ランプの点灯によって給水タンク１６への水の補給を促す。具体的には、操作ボタン４８のうちのイオン放出ボタンがオンされると、例えば１５分程度の所定時間だけイオン発生器１７が駆動され、イオンが放出される。その途中で、トレイ水位検知スイッチ４５から検知出力があった場合、直ちに給水表示ランプを点灯させるわけではなく、そのまま所定時間分のイオン発生器１７の駆動を終えてから給水表示ランプを点灯させる。イオン放出を望む使用者の意図に沿うことになるし、トレイ水位検知スイッチ４５から検知出力があったとしても、その時点では、一般に、トレイ１５も含め給水タンク１６にはわずかではあるが水が残っており、限定された時間内でのイオン発生器１７の駆動には支障はないからである。
【００４４】
制御部４０は、操作ボタン４８から運転停止の入力操作を受けたとき、可動板３５を最も手前側の姿勢に回動させて保持させる。具体的には、操作ボタン４８のうちの電源ボタンがオフされると、空気浄化の運転、加湿の運転の如何にかかわらず、第２の通気路３２を完全に閉ざす姿勢に可動板３５を回動させ保持する。これにより、前パネル３が取り外され、更にはエアフィルタが取り外されたとしても、内部につながる第２の通気路３２が可動板３５で閉ざされているため、手指等の不用意な挿入を防止でき、安全になる。
【００４５】
それと同様の安全性の観点から、制御部４０は、エアフィルタ取外し検知スイッチ４６から検知出力を受けたとき、可動板３５を最も手前側の姿勢に回動させて保持させるようにしてもよい。仮に、運転中に、前パネル３が取り外され、更にはエアフィルタが取り外された場合であっても、内部につながる第２の通気路３２が可動板３５で閉ざされるからである。なお、制御部４０は、トレイ・給水タンク取外し検知スイッチ４７から検知出力を受けたとき、可動板３５を最も手前側の姿勢に回動させて保持させるようにしても構わない。
【００４６】
制御部４０は、加湿の運転中に、トレイ水位検知スイッチ４５から検知出力を受けたとき、表示ランプ４９のうちの給水表示ランプの点灯によって給水タンク１６への水の補給を促すとともに、そのまま加湿の運転を継続する。つまり、直ちに加湿の運転を停止するわけではない。これにより、第１の通気路３１への空気の流入が続くため、仮に、給水タンク１６へ水が補給されない場合、加湿フィルタ１４が次第に水分を奪われて乾燥することから、加湿フィルタ１４への水垢の付着を防止でき、衛生的である。
【００４７】
制御部４０は、温度センサ４１からの検出値に基づいて、送風機８すなわちファンモータ９の回転数を調整する。具体的には、温度センサ４１からの検出値が所定の温度以下であれば、加湿自動モード、加湿弱モード、加湿強モードでそれぞれ設定されているファンモータ９の回転数を１段階ずつ高めるように補正する。空気の温度が低い場合、加湿性能自体が低下するため、補正が必要だからである。
【００４８】
次に、本発明の第２実施形態の加湿機について、図６を参照しながら説明する。図６は第２実施形態の加湿機での加湿フィルタ周辺を簡略化して示す側面視での断面図である。なお、図中で図１〜図５と同じ名称の部分には同一の符号を付し、重複する説明は適宜省略する。本第２実施形態の特徴は、第１実施形態におけるトレイ１５の構造を変形した点にある。
【００４９】
本第２実施形態では、図６に示すように、加湿フィルタ１４の下部を取り囲むトレイ１５の側壁のうち、加湿フィルタ１４の上流側の側壁１５ａは、第１実施形態と同様に、加湿フィルタ１４の上流側の面１４ａから離れていて、加湿フィルタ１４の上流域に水が貯まっている。一方、加湿フィルタ１４の下流側の側壁１５ｂは、加湿フィルタ１４の下流側の面１４ｂから離れていて、加湿フィルタ１４の下流域にも水が貯まっている。更に、トレイ１５には、加湿フィルタ１４の下流側の面１４ｂに接する隔壁１５ｃが設けられている。ここでの隔壁１５ｃは、トレイ１５に貯まっている水の水位を超える高さである。但し、あまり高くし過ぎると、加湿フィルタ１４について空気の通過を許容する有効面積が減るため、水が溢れない程度の程程の高さでよい。また、隔壁１５ｃには、通水孔１５ｄが複数形成されていて、加湿フィルタ１４の上流域と下流域に貯まっている水は、その通水孔１５ｄを通じて互いに行き来できる。
【００５０】
このようにしても、加湿フィルタ１４の下流側の面１４ｂにおいて、トレイ１５に貯まっている水の水面との境界に隔壁１５ｃが存在するため、従来のような泡の発生が抑えられる。その結果、上記した第１実施形態と同様の効果が得られる。
【００５１】
その他本発明は上記の各実施形態に限定されず、本発明の趣旨を逸脱しない範囲で、種々の変更が可能である。例えば、仕切り板２７や可動板３５を持たず、エアフィルタから送風機８までの通気路が分岐せずに１本である一般的な加湿機にも適用が可能である。
【産業上の利用可能性】
【００５２】
本発明は、加湿機に有用である。
【図面の簡単な説明】
【００５３】
【図１】本発明に共通する加湿機の外観を示す正面視での斜視図である。
【図２】図１の加湿機の内部構造について可動板が第２の通気路を閉ざした状態を示す側面視での断面図である。
【図３】図１の加湿機の内部構造について可動板が第２の通気路を開いた状態を示す側面視での断面図である。
【図４】本発明の第１実施形態の加湿機での加湿フィルタ周辺を簡略化して示す側面視での断面図である。
【図５】図１の加湿機の動作にまつわる主要構成を示すブロック図である。
【図６】本発明の第２実施形態の加湿機での加湿フィルタ周辺を簡略化して示す側面視での断面図である。
【図７】従来の加湿機での加湿フィルタ周辺を簡略化して示す側面視での断面図である。
【符号の説明】
【００５４】
１    加湿機
２    本体
３    前パネル
４    脱臭フィルタ
５    集塵フィルタ
８    送風機
９    ファンモータ
１０    ファン
１１    第１の吹出し口
１２    第２の吹出し口
１３    操作・表示部
１４    加湿フィルタ
１４ａ    上流側の面
１４ｂ    下流側の面
１５    トレイ
１５ａ    側壁
１５ｂ    側壁
１５ｃ    隔壁
１５ｄ    通水孔
１６    給水タンク
１７    イオン発生器
２４    開口
２７    仕切り壁
３１    第１の通気路
３２    第２の通気路
３５    可動板
３６    支軸
【図１】
2008039316.tif 000003
【図２】
2008039316.tif 000004
【図３】
2008039316.tif 000005
【図４】
2008039316.tif 000006
【図５】
2008039316.tif 000007
【図６】
2008039316.tif 000008
【図７】
2008039316.tif 000009